(57)【特許請求の範囲】
【請求項１】
他の装置と通信を行うための無線通信手段及び有線通信手段を含む複数の通信手段を備えた情報処理装置であって、
前記複数の通信手段の各々から、接続可能であるか否かを確認するためのコマンドを通信先の装置へ送信する送信手段と、
前記コマンドの送信に対し、前記通信先の装置から接続可能な通信手段を示す情報が前記複数の通信手段の各々に返された場合に、その情報で接続可能と示された通信手段の中から前記通信先の装置との通信に使用する一つ若しくは複数の通信手段を選択する選択手段と
を具備したことを特徴とする情報処理装置。
【請求項２】
他の装置と通信を行うための無線通信手段及び有線通信手段を含む複数の通信手段を備えた情報処理装置であって、
前記複数の通信手段の各々から、接続可能であるか否かを確認するためのコマンドを通信先の装置へ送信する第１の送信手段と、
前記コマンドの送信に対し、前記通信先の装置から接続可能な通信手段の通信方式を示す第１の情報が前記複数の通信手段の各々に返された場合に、前記接続可能な通信手段から各々の通信速度を示す情報を前記通信先の装置の対応する通信手段へ送信する第２の送信手段と、
前記通信速度を示す情報の送信に対し、前記接続可能な通信手段に対応する前記通信先の装置の通信手段から各々の通信速度を示す第２の情報が返された場合に、前記第１および第２の情報に基づき、前記複数の通信手段の中から前記通信先の装置との通信に使用する一つ若しくは複数の通信手段を選択する選択手段と
を具備したことを特徴とする情報処理装置。
【請求項３】
前記複数の通信手段に対し、選択される際の優先順位をユーザが予め設定することが可能な第１の設定手段を更に具備し、
前記選択手段は、前記第１の設定手段により設定された優先順位に従い、前記通信先の装置との通信に使用する通信手段を選択することを特徴とする請求項１又は２記載の情報処理装置。
【請求項４】
通信先として選択される複数の装置の間で優先順位を予め設定することが可能な第２の設定手段を更に具備し、
前記選択手段は、前記第２の設定手段により設定された優先順位に従い、前記複数の装置の中から通信先とする装置および当該装置との通信に使用する通信手段を選択することを特徴とする請求項１又は２記載の情報処理装置。
【請求項５】
他の装置と通信を行うための無線通信手段及び有線通信手段を含む複数の通信手段を備えた情報処理装置を用いた通信方式切替方法であって、
前記複数の通信手段の各々から、接続可能であるか否かを確認するためのコマンドを通信先の装置へ送信するステップと、
前記コマンドの送信に対し、前記通信先の装置から接続可能な通信手段の通信方式を示す情報が前記複数の通信手段の各々に返された場合に、その情報で接続可能と示された通信手段の中から前記通信先の装置との通信に使用する一つ若しくは複数の通信手段を選択するステップと
を有することを特徴とする通信方式切替方法。
【請求項６】
他の装置と通信を行うための無線通信手段及び有線通信手段を含む複数の通信手段を備えた情報処理装置を用いた通信方式切替方法であって、
前記複数の通信手段の各々から、接続可能であるか否かを確認するためのコマンドを通信先の装置へ送信するステップと、
前記コマンドの送信に対し、通信先の装置から接続可能な通信手段の通信方式を示す第１の情報が前記複数の通信手段の各々に返された場合に、前記接続可能な通信手段から各々の通信速度を示す情報を前記通信先の装置の対応する通信手段へ送信するステップと、
前記通信速度を示す情報の送信に対し、前記接続可能な通信手段に対応する通信先の装置の通信手段から前記通信速度を示す第２の情報が返された場合に、前記第１および第２の情報に基づき、前記複数の通信手段の中から前記通信先の装置との通信に使用する一つ若しくは複数の通信手段を選択するステップと
を有することを特徴とする通信方式切替方法。
【請求項７】
前記複数の通信手段に対し、選択される際の優先順位を予め設定するステップを更に有し、
前記選択ステップにおいては、前記設定ステップにおいて設定された優先順位に従い、前記通信先の装置との通信に使用する通信手段を選択することを特徴とする請求項５又は６記載の通信方式切替方法。
【請求項８】
通信先として選択される複数の装置の間で優先順位を予め設定するステップを更に有し、
前記選択ステップにおいては、前記設定ステップにおいて設定された優先順位に従い、前記複数の装置の中から通信先とする装置および当該装置との通信に使用する通信手段を選択することを特徴とする請求項５又は６記載の通信方式切替方法。
【発明の詳細な説明】
【０００１】
【発明の属する技術分野】
本発明は、他の装置と通信を行うための無線通信手段及び有線通信手段を含む複数の通信手段を備えた情報処理装置及び通信方式切替方法に関する。
【０００２】
【従来の技術】
近年、通信方式の異なる複数の通信手段を備えた情報処理装置（携帯端末装置など）が現れてきている。例えば、特開２０００−２１６６９８号公報には、複数の無線通信方式による通信を可能にし、特に無線通信方式の選択方法を可変とした携帯端末装置（携帯電話）が開示されている。
【０００３】
上記文献では、複数の通信方式の無線通信手段を備えた携帯端末装置において、使用する無線通信方式がソフトウェアに従って選択される。また、このソフトウェアを無線通信手段を通じて取得することができ、そのソフトウェアを操作することにより無線通信方式の選択方法を変えることができるようになっている。
【０００４】
【発明が解決しようとする課題】
しかしながら、上記文献の技術は、無線通信方式の選択だけに限定されるものであり、有線通信については選択の対象としていない。無線通信のほかに有線通信をも選択の対象に含めて適切に選択動作させるためには、そのための機構を別途設けなければならず、容易に構築できるものではない。
【０００５】
また、上記文献の技術では、必要とされるソフトウェアを通信先からダウンロードし、携帯端末装置内のフラッシュＲＯＭを書き換えることによって、はじめて通信方式を変更できるようになるため、通信方式を瞬時に切り替えることができず、通信性能の低下を招く。
【０００６】
また、上記文献の技術では、通信方式の切替えは電波干渉の観点から排他制御を行っており、複数の通信方式を同時に使用することはできない。また、ユーザが使用したい通信方式に切り替える場合には、その都度、手動で切り替え操作をしなければならず、使い勝手が良いとはいえない。
【０００７】
本発明は上記実状に鑑みてなされたものであり、無線及び有線を含む複数の通信方式の選択を適切かつ効率的に行うことのできる情報処理装置及び通信方式切替方法を提供することを目的とする。
【０００８】
【課題を解決するための手段】
本発明に係る情報処理装置は、他の装置と通信を行うための無線通信手段及び有線通信手段を含む複数の通信手段を備えた情報処理装置であって、前記複数の通信手段の各々から、所定のコマンドを通信先の装置へ送信する送信手段と、前記コマンドの送信に対し、通信先の装置から接続可能な通信手段の通信方式を示す情報が返された場合に、その情報に基づき、前記複数の通信手段の中から通信先の装置との通信に使用する通信手段を選択する選択手段とを具備したことを特徴とする。
【０００９】
また、本発明に係る情報処理装置は、他の装置と通信を行うための無線通信手段及び有線通信手段を含む複数の通信手段を備えた情報処理装置であって、前記複数の通信手段の各々から、所定のコマンドを通信先の装置へ送信する第１の送信手段と、前記コマンドの送信に対し、通信先の装置から接続可能な通信手段の通信方式を示す第１の情報が返された場合に、所定の情報を送信する第２の送信手段と、前記所定の情報の送信に対し、通信先の装置から前記接続可能な通信手段の各々の通信速度を示す第２の情報が返された場合に、前記第１および第２の情報に基づき、前記複数の通信手段の中から通信先の装置との通信に使用する通信手段を選択する選択手段とを具備したことを特徴とする。
【００１０】
なお、上記の各情報処理装置は、前記複数の通信手段に対し、選択される際の優先順位をユーザが予め設定することが可能な設定手段を更に具備し、前記選択手段は、前記設定手段により設定された優先順位に従い、前記通信先の装置との通信に使用すべき通信手段を選択するものであってもよい。
【００１１】
また、本発明に係る通信方式切替方法は、他の装置と通信を行うための無線通信手段及び有線通信手段を含む複数の通信手段を備えた情報処理装置を用いた通信方式切替方法であって、前記複数の通信手段の各々から、所定のコマンドを通信先の装置へ送信するステップと、前記コマンドの送信に対し、通信先の装置から接続可能な通信手段の通信方式を示す情報が返された場合に、その情報に基づき、前記複数の通信手段の中から通信先の装置との通信に使用する通信手段を選択するステップとを有することを特徴とする。
【００１２】
また、本発明に係る通信方式切替方法は、他の装置と通信を行うための無線通信手段及び有線通信手段を含む複数の通信手段を備えた情報処理装置を用いた通信方式切替方法であって、前記複数の通信手段の各々から、所定のコマンドを通信先の装置へ送信するステップと、前記コマンドの送信に対し、通信先の装置から接続可能な通信手段の通信方式を示す第１の情報が返された場合に、所定の情報を送信するステップと、前記所定の情報の送信に対し、通信先の装置から前記接続可能な通信手段の各々の通信速度を示す第２の情報が返された場合に、前記第１および第２の情報に基づき、前記複数の通信手段の中から通信先の装置との通信に使用する通信手段を選択するステップとを有することを特徴とする。
【００１３】
なお、上記の各通信方式切替方法は、前記複数の通信手段に対し、選択される際の優先順位を予め設定するステップを更に有し、前記選択ステップにおいては、前記設定ステップにおいて設定された優先順位に従い、前記通信先の装置との通信に使用すべき通信手段を選択するものであってもよい。
【００１４】
【発明の実施の形態】
以下、図面を参照して本発明の実施形態を説明する。
【００１５】
図１は、本発明の一実施形態に係る情報処理装置を用いて実現される通信の形態を示す概念図である。
【００１６】
情報処理装置としてはパーソナルコンピュータ（以下、ＰＣと称す）、携帯情報端末（ＰＤＡ）、携帯電話など、種々なものが挙げられるが、図１は互いに通信を行う情報処理装置がそれぞれＰＣである場合の例を示している。
【００１７】
図１に示されるＰＣ１及びＰＣ２は、無線ＬＡＮ（Local Area Network）、BluetoothTM、有線ＬＡＮの各通信方式に対応する通信手段（通信インタフェース）を搭載している。
【００１８】
このようなＰＣ１とＰＣ２との間で通信を行う際には、各ＰＣの内部において、オペレーティングシステム（ＯＳ）の制御の下で動作する通信切替ユーティリティ（後述）が各通信手段を介して通信先にアクセスし、適切な通信方式に対応する通信手段を選択して通信を行うよう制御する。
【００１９】
図２は、同実施形態に係る情報処理装置における通信切替処理を実現するための構成を示すブロック図である。
【００２０】
無線ＬＡＮ通信手段１１は、無線ＬＡＮのプロトコルに基づく無線通信インタフェース（ハードウェア部分）に相当し、外部機器に備えられた無線ＬＡＮ通信手段との間で無線ＬＡＮ通信を行う。
【００２１】
Bluetooth通信手段１２は、Bluetoothの各種プロファイルに基づき、無線通信を行なう無線通信インタフェース（ハードウェア部分）に相当し、外部機器に備えられたBluetooth通信手段との間でBluetooth通信を行う。
【００２２】
有線ＬＡＮ通信手段１３は、有線ＬＡＮのプロトコルに基づく有線通信インタフェース（ハードウェア部分）に相当し、外部機器に備えられた有線ＬＡＮ通信手段との間で有線ＬＡＮ通信を行う。
【００２３】
なお、上記無線ＬＡＮ通信手段１１、Bluetooth通信手段１２、有線ＬＡＮ通信手段１３には、各プロトコルによりそれぞれ異なる通信速度が規定されている。
【００２４】
無線ＬＡＮドライバ２１は、ＯＳの下で通信切替ユーティリティ３１により制御され、無線ＬＡＮ通信手段１１を駆動／停止させたり通信路の設定処理を行ったりする。
【００２５】
Bluetoothドライバ２２は、ＯＳの下で通信切替ユーティリティ３１により制御され、Bluetooth通信手段１２を駆動／停止させたり通信路の設定処理を行ったりする。
【００２６】
有線ＬＡＮドライバ２３は、ＯＳの下で通信切替ユーティリティ３１により制御され、有線ＬＡＮ通信手段１３を駆動／停止させたり通信路の設定処理を行ったりする。
【００２７】
なお、上記無線ＬＡＮドライバ２１、Bluetoothドライバ２２、有線ＬＡＮドライバ２３は、例えばＯＳにより管理されるタスクトレイに常駐しており、通信切替ユーティリティ３１からの指示に瞬時に応じることができるようになっている。
【００２８】
通信切替ユーティリティ３１は、例えば上位のアプリケーションの下で動作するソフトウェアであり、自身の装置（例えばＰＣ１）から他の装置（例えばＰＣ２）に対して通信を行う際には、ユーザ（もしくはアプリケーション）からの接続要求に応じ、使用すべき通信手段の選択や通信環境の確認を行い、各通信手段に対応するドライバ２１〜２３の切り替え制御を行う。
【００２９】
上記通信切替ユーティリティ３１は、通信先の装置に備えられる各通信手段が通信可能かどうかを確認し、その結果に基づいて最適な通信手段を選択できるようになっている。また、上記通信切替ユーティリティ３１は、通信先の装置に備えられる各通信手段の通信速度を検出するとともに、通信先の装置へ送信すべきデータの量の監視し、送信すべきデータ量に応じた最適な通信速度を実現する通信手段を選択することが可能である。データ量が所定値以上である場合には、複数の通信手段を選択することも可能である。
【００３０】
更に、上記通信切替ユーティリティ３１は、後述するコンフィグレーションテーブルの設定画面でユーザが予め設定した優先度に従って通信手段を選択することも可能となっている。
【００３１】
図３は、ＰＣ１において通信切替ユーティリティメニューとして用意されるコンフィグレーションテーブルの設定画面の一例を示す図である。
【００３２】
コンフィグレーションテーブルは、通信手段の優先順位等を設定内容を記載したファイルとして保管される。
【００３３】
図３の設定画面では、「リソース」、「種別」、「状態」といった項目にそれぞれ対応して、通信先となり得る装置名（ＰＣ２、ＰＤＡなど）、通信方式（無線ＬＡＮ、Bluetoothなど）、および接続状態（接続中、未接続など）の組が複数行にわたって記述され、各行には優先度を示す数値が付されている。
【００３４】
この優先度はユーザが自在に書き替えることができるようになっている。これにより、通信先の装置及び使用する通信方式に関する優先順位を与えることが可能となる。図３の例では、もし通信先の装置がＰＣ２とされたならば、使用する通信方式としてはBluetoothよりも無線ＬＡＮの方が優先されることになる。また、無線ＬＡＮの通信手段に何らかの故障があって使用できない場合には、ユーザは上記優先度を変更することにより、Bluetoothによる通信に切り替えることが可能となる。
【００３５】
なお、ユーザは「状態」を参照することにより、自身の装置であるＰＣ１が現在どの通信方式でどの通信先と接続されているのかを把握できるようになっている。
【００３６】
図３の設定画面にて設定された優先順位は、通信切替ユーティリティ３１の動作に影響を与えるものであるが、その設定は必ずしも必要ではなく、通信切替ユーティリティ３１の動作に影響を与えないように施してもよい。
【００３７】
図４は、図３と異なる設定画面の他の例を示す図である。
【００３８】
図４の例では、複数の設定項目が設けられており、ＰＤＡとの接続にはBluetoothを優先し、ＰＣ２側のＨＤＤの共有には無線ＬＡＮもしくは有線ＬＡＮを優先し、携帯電話との接続にはBluetoothを優先し、ＭＰ３等の音声データの送受にはBluetoothを優先し、画像を含んだマルチメディアデータの送受には無線ＬＡＮを優先する場合が示されている。これらの内容は、設定項目ごとにユーザが自在に設定変更（追加・削除も含む）できるようになっている。
【００３９】
このように通信先の通信手段の通信方式や、用途、送受されるデータの種類などに応じて優先すべき通信方式を指定することも可能である。
【００４０】
なお、各項目ごとに優先すべき通信方式を１つだけ指定するのではなく、複数の通信方式を指定して各々に優先度を付すようにしてもよい。また、各項目ごとに設定を有効／無効とすることができるようにすることが望ましい。
【００４１】
図４の設定画面にて設定された内容も、通信切替ユーティリティ３１の動作に影響を与えるものであるが、その設定は必ずしも必要ではなく、通信切替ユーティリティ３１の動作に影響を与えないように施してもよい。
【００４２】
以下に、ＰＣ１をホストとしＰＣ２をクライアントとした場合の接続の処理手順について説明する。以下では３つの例を挙げる。
【００４３】
（第１の動作例）
第１の動作例を図５を参照して説明する。
【００４４】
ユーザ（もしくはアプリケーション）からの接続要求があると、ＰＣ１の中の通信切替ユーティリティ３１は、通信先の装置であるＰＣ２に備えられる通信手段のうちのどれが接続可能であるかを確認するため、ドライバ２１〜２３を制御することにより、通信手段１１〜１３の各々からページング等によるコマンド（接続可能であるかを確認するためのコマンド）をＰＣ２へ送信する（ステップＡ１）。すると、ＰＣ２からは、アクノリッジと共に接続可能な１つ又は複数の通信手段を示す情報が返され（ステップＡ２）、ＰＣ１側の通信手段１１〜１３にて取得される。
【００４５】
これにより、通信切替ユーティリティ３１は、通信手段１１〜１３及びドライバ２１〜２３を介してＰＣ２側の接続可能な通信手段の通信方式（インタフェースの種類）を検出することになる。
【００４６】
通信切替ユーティリティ３１は、その検出結果に基づき、通信手段１１〜１３の中から通信先の装置との通信に使用すべき最適な通信手段（例えば、送受するデータの種類や用途に応じた適切な通信手段）を選択し、その通信手段により通信が行われるよう設定を行う（ステップＡ３）。このとき通信切替ユーティリティ３１は、選択した通信手段に対応するドライバを駆動する。
【００４７】
駆動されたドライバは、プロトコルに基づく通信路の設定を行い、ＰＣ２との接続を開始する（ステップＡ４）。これにより、ＰＣ１とＰＣ２との間の通信が行われることになる。
【００４８】
なお、上記ステップＡ３において選択される通信手段は１つではなく複数であってもよい。例えば、送受されるデータの量が多く、１つの通信手段では対処できない場合には、複数の通信手段が選択されるように予め設定しておいてもよい。
【００４９】
（第２の動作例）
第２の動作例を図６を参照して説明する。
【００５０】
この第２の動作例では、上記第１の動作例に対して、通信先の装置側の通信手段の「通信速度」を検出するための手順（図中の破線で囲った部分）を更に加える。
【００５１】
ユーザ（もしくはアプリケーション）からの接続要求があると、ＰＣ１の中の通信切替ユーティリティ３１は、通信先の装置であるＰＣ２に備えられる通信手段のうちのどれが接続可能であるかを確認するため、ドライバ２１〜２３を制御することにより、通信手段１１〜１３の各々からページング等によるコマンド（接続可能であるかを確認するためのコマンド）をＰＣ２へ送信する（ステップＢ１）。すると、ＰＣ２からは、アクノリッジと共に接続可能な１つ又は複数の通信手段を示す情報が返され（ステップＢ２）、ＰＣ１側の通信手段１１〜１３にて取得される。
【００５２】
これにより、通信切替ユーティリティ３１は、通信手段１１〜１３及びドライバ２１〜２３を介してＰＣ２側の接続可能な通信手段の通信方式（インタフェースの種類）を検出することになる。
【００５３】
この後、ＰＣ１の中の通信切替ユーティリティ３１は、ＰＣ２側の接続可能な通信手段の各々の通信速度を知得するため、ＰＣ１側の対応する通信手段から各々の通信速度を示す情報をＰＣ２へ送信する（ステップＢ３）。すると、ＰＣ２からは、ＰＣ２側の接続可能な通信手段の各々の通信速度を示す情報が返され（ステップＢ４）、ＰＣ１側の対応する通信手段にて取得される。
【００５４】
これにより、通信切替ユーティリティ３１は、対応する通信手段及びドライバを介してＰＣ２側の接続可能な通信手段の通信速度を検出することになる。
【００５５】
通信切替ユーティリティ３１は、その検出結果に基づき、通信手段１１〜１３の中から通信先の装置との通信に使用すべき最適な通信手段（例えば、最も通信速度が高い通信手段、送受するデータの種類や量に適した通信速度の通信手段）を選択し、その通信手段により通信が行われるよう設定を行う（ステップＢ５）。このとき通信切替ユーティリティ３１は、選択した通信手段に対応するドライバを駆動する。
【００５６】
駆動されたドライバは、プロトコルに基づく通信路の設定を行い、ＰＣ２との接続を開始する（ステップＢ６）。これにより、ＰＣ１とＰＣ２との間の通信が行われることになる。
【００５７】
（第３の動作例）
この第３の動作例では、上記第１の動作例（図５）又は第２の動作例（図６）に対して、図３や図４で説明したユーザによる「コンフィグレーションテーブル」の設定内容を反映させる処理を含ませる。
【００５８】
例えば図５に示されるステップＡ３では通信手段の選択・設定が行われるが、ここでの処理において、通信切替ユーティリティ３１は図３もしくは図４のコンフィグレーションテーブルに設定された優先順位に従って通信手段を選択する。
【００５９】
図３のコンフィグレーションテーブルの設定内容が有効となっている場合（通信切替ユーティリティ３１の動作に影響する場合）を考える。この場合、通信切替ユーティリティ３１は、ステップＡ１及びＡ２にてＰＣ２側の接続可能な通信手段の通信方式を知得した後、ステップＡ３にてそれら通信手段間の優先順位を図３のコンフィグレーションテーブル上のＰＣ２に関する行を参照して確認し、優先度の最も高い通信手段を選択する。
【００６０】
一方、図４のコンフィグレーションテーブルの設定内容が有効となっている場合（通信切替ユーティリティ３１の動作に影響する場合）、通信切替ユーティリティ３１は、ステップＡ１及びＡ２にてＰＣ２側の接続可能な通信手段の通信方式を知得した後、ステップＡ３にて図４のコンフィグレーションテーブル上の各項目を参照し、これから行おうとしている通信が例えば「ＰＣ２側のＨＤＤの共有」に該当するものであれば、項目「ＰＣ２側のＨＤＤの共有」のところに記述されている通信方式（無線ＬＡＮ若しくは有線ＬＡＮ）に対応する通信手段を優先して選択する。
【００６１】
このように本実施形態では、情報処理装置に備えられる無線ＬＡＮ通信手段、Bluetooth通信手段、有線ＬＡＮ通信手段を介して通信先の接続可能な通信手段の通信方式（インタフェースの種類）が検出され、その検出結果に基づいて通信に使用すべき通信手段が自動的に選択されるので、ユーザが意識しなくても状況に応じた適切な通信手段による通信を実現でき、ユーザにとって使い勝手の良いものとなる。
【００６２】
また、通信先の接続可能な通信手段の通信速度を検出し、その検出結果に基づいて通信手段を選択することにより、より効率的なデータ転送を実現することが可能となる。
【００６３】
更に、ユーザがコンフィグレーションテーブル上で通信手段の優先順位を設定することにより、ユーザ環境により合致した通信手段を選択することが可能となる。
【００６４】
また、本実施形態の構成によれば、無線通信のほかに有線通信をも選択の対象に含めた選択動作を適切に行うことができ、複数の通信方式を同時に使用するも可能となる。更に、各通信手段に対応するドライバをタスクトレイに常駐させるように構成することにより、ドライバは通信切替ユーティリティ３１からの指示に瞬時に応じることができ、通信の切替を即座に行える。
【００６５】
なお、本発明は、上述した実施形態に限定されるものではなく、その要旨を逸脱しない範囲内で種々変形して実施することが可能である。
【００６６】
例えば、上述の実施形態では通信手段として無線ＬＡＮ、Bluetooth、優先ＬＡＮに対応する通信手段を用いた場合を例に挙げて説明したが、本発明はこれには限定されず、赤外線通信やシリアルポート、パラレルポート、ＵＳＢ（Universal Serial Bus）、ＩＥＥＥ１３９４等といった他のインタフェースに対応する通信手段を採用してもよい。
【００６７】
【発明の効果】
以上詳記したように本発明によれば、無線及び有線を含む複数の通信方式の選択を適切かつ効率的に行うことのできる情報処理装置及び通信方式切替方法を提供することができる。
【図面の簡単な説明】
【図１】本発明の一実施形態に係る情報処理装置を用いて実現される通信の形態を示す概念図。
【図２】同実施形態に係る情報処理装置における通信切替処理を実現するための構成を示すブロック図。
【図３】同実施形態に係る情報処理装置において通信切替ユーティリティメニューとして用意されるコンフィグレーションテーブルの設定画面の一例を示す図。
【図４】図３と異なる設定画面の他の例を示す図。
【図５】同実施形態における第１の動作例を説明するための図。
【図６】同実施形態における第２の動作例を説明するための図。
【符号の説明】
１，２…パーソナルコンピュータ（ＰＣ）
１１…無線ＬＡＮ通信手段
１２…Bluetooth通信手段
１３…有線ＬＡＮ通信手段
２１…無線ＬＡＮドライバ
２２…Bluetoothドライバ
２３…有線ＬＡＮドライバ
３１…通信切替ユーティリティ
【図１】
0004801849.tif 000002
【図２】
0004801849.tif 000003
【図３】
0004801849.tif 000004
【図４】
0004801849.tif 000005
【図５】
0004801849.tif 000006
【図６】
0004801849.tif 000007